(57)【要約】　　　（修正有）【課題】家庭から排泄されて地域の集積場に集められた生ゴミが、鳥獣に食い散らかされるのを防ぐために使用するバスケットを提供する。【解決手段】扇形に裁断したネット１を、二つに折り畳み、ネット１の両端をつなぎ合せてスカートの形状にした、ネット１の上部の入り口には、円形の蓋３を取り付けて、バスケットに入れたゴミ袋が外に飛び出したり、鳥獣がバスケットの入り口でいたずらをすることが出来ないように、戻り止め羽４を設けた。さらに、底のないバスケットからゴミ袋６が外にはみ出すことがないように、ネット１の下部の縁にゴム紐２を設けて、ゴミ袋６が外にはみ出すことがないようにした。【選択図】図７
0003099838.tif 000002
【実用新案登録請求の範囲】
【請求項１】
扇形に裁断したネット（１）を二つに折り畳んで両端をつなぎ合わせ、下部の縁の部分にゴム紐（３）を設けてバスケットの底から、ゴミ袋（６）がはみ出さないようにした鳥獣よけバスケット。
【請求項２】
ネット（１）の上部の入口（５）に被せる、蓋（３）において，ゴみ袋（６）が鳥獣にいたずらされるのを防ぐため、円形の蓋（３）に戻り止め羽（４）を設けた鳥獣よけバスケット。
【考案の詳細な説明】
【０００１】
【産業上の利用分野】
家庭から排出される生ゴミは、定められた収集日に地域のゴミ集積場に出しますが、これをカラスや犬猫に食い散かされたり、又、強風によりゴミ袋が路上に転げ出してゴミが散乱し、その後始末に大変な思いをする事があります、その様な被害を防ぐために色々な取組がなされていますが、これと言った良い方法が無いのが実態です、本考案は集積されたゴミが鳥獣に食い散かされたり、風で飛散するのを防止すると共に、集積されたゴミが道を占拠して歩行や自転車の走行に障害を来す事のないように、ゴミ袋を効率良く集積します、又、ゴミを持参する地域の人が使いやすく、さらに、ゴミを回収する業者の方々にも余計な苦労をさせないで、スムーズに作業を進めて行く事が出来るゴミ飛散防止用具を目的にしています。
【０００２】
【従来の方法】
従来では集積された生ゴミが鳥獣に食い散かされたり、風でゴミ袋が飛散するのを防ぐために、ゴミ集積ボックスの設置やネットを被せる等の対策が取られていました。
しかし、集積ボックスはゴミ袋の出し入れが大変で回収する業者の方が苦労します、最近ではゴミの分別が義務づけられゴミの出し方も複雑になっており、益々回収作業が大変なことから、ゴミ集積ボックスを撤去するように指導する町村が増えています。
一方、集積したゴミ袋にネットを被せる方法では、その都度ネットを被せたり剥したりしなければなりませんでした、又、ゴミ集積に要する場所の面積がゴミの量に比例して広くなり、歩行の妨げになったり放置されたネットが自転車に絡まり転倒した例もあります。
【０００３】
【考案が解決しようとする課題】
考案が解決しようとする課題を整理すると次の４項目にまとめることができる
【０００４】
▲１▼鳥獣を寄せ付けぬためネットでゴミ袋を覆う方法においては、その都度ごとに覆う、剥す、片付等々の煩わしさがありました。
【０００５】
▲２▼従来ではゴミの量が増大すると、より大きなネットが必要となり、合わせて集積面積も広くなり歩道をふさいだり、交通の障害を来したので、少ない面積で効率良くゴミ袋を集積したい。
【０００６】
▲３▼従来のネットでは掛け損じると、ネットの裾からゴミ袋がは見出す事がありました、その部分から鳥獣がゴミ袋を引き出して食い散かすため、せっかくのネットがその用をはたさないことがあった。
【０００７】
▲４▼近年ゴミの分別が義務付けられ分別方法がより複雑になっている事から、回収する業者の負担が大きくなっています、従来のネットではゴミを回収した後、ネットの片付け等、業者に余計な労力をかけさせていた。
【課題を解決するための手段】
上記の目的を達成する為に，本考案の鳥獣よけバスケットは、図１で示すように扇形に裁断したネット（１）を、二つに折り畳み、ネットの両端をつなぎ合せてスカートの形状にした、次にネット（１）の上方の入り口（５）には、図２で示す円形の蓋（３）を取り付けて鳥獣よけバスケットとして機能させます、蓋（５）には、バスケットに入れたゴミ袋が外にはみ出ないように、さらには鳥獣がバスケットの入り口でいたずらをすることが出来ないように、戻り止め羽（４）を設けた、又、ネット（１）の下部の縁の部分にはゴム紐（２）を設けて、底のないバスケットの中のゴミ袋が外にはみ出すことがないようにした。
【考案の実施の形態】
本考案の鳥獣よけバスケットの設置方法は，ゴミ回収日に地域の集積場に、図５で示すように地面に置きます、利用者はバスケットの蓋（５）の上にゴミ袋（６）を乗せて、円形の蓋（５）を上に持ち上げます、ゴミ袋（６）は、戻り止め羽（４）をスルリとくぐり抜けて、図６に示すようにバスケットの中に入ります、この様にしてゴミ袋（６）は次々に入れられます、やがてバスケットはゴミ袋（６）で一杯になり側面は膨らみますが、ゴミ集積に要する面積は殆ど変わらず、効率良くゴミ袋を集積する事ができるのです、バスケットには底がありませんのでゴミ袋（６）が外にはみ出ように思われますが、ネット（１）の裾の部分に設けられたゴム紐（２）が、ゴミ袋で押さえ付けられますから、ゴミ袋がバスケットの底から外にはみ出すことはありません、生ゴミが鳥獣に食い散かされたり、ゴミ袋が風で飛散することは完璧に防ぐ事ができるのです。
バスケットに集積されたゴミ袋はやがて回収業者の手で取り出されます、この時、ネットの裾の部分を軽くまくり上げる事により、ゴミ袋を簡単にバスケット内から取り出すことができます。
【０００９】
【考案の効果】
本考案は上述の通り構成されているので次ぎに記載する効果を奏する。
【００１０】
▲１▼ゴミ集積場のスペースが節約できるので交通の妨げを抑える事ができる。
【００１１】
▲２▼ゴミ袋をネットで覆う、ネットを剥がす、片付ける等の煩わしさが解消されます。
【００１２】
▲３▼バスケットの中に集積されたゴミ袋（６）が、バスケットの底の部分に設けたゴム紐（２）を押さえ付けますので、ゴミ袋がバスケットの底からはみ出る事はなく、鳥獣による食い散かしや風でゴミ袋が散乱するのを完璧に防止することができる。
【００１３】
▲４▼ゴミを回収する業者が、楽にゴミ袋（６）をバスケットから出すことが出来る
【図面の簡単な説明】
【図１】鳥獣よけバスケットを制作するための下地となるネット（１）の平面図
【図２】バスケットの蓋（３）の平面図
【図３】両端をつなぎ合わせスカートの形状にしたネット（１）の斜視図
【図４】ネット（１）の入り口（５）に円形の蓋（３）を設けたバスケットの斜視図
【図５】ゴミ集積場に鳥獣よけバスケットを設置した様をしめす斜視図
【図６】ゴミ袋（６）がバスケットの中に入った様をしめす斜視図
【図７】ゴミ袋（６）がバスケットの中で満杯になった様をしめす斜視図
【符号の説明】
１　ネット
２　ゴム紐
３　蓋
４　戻り止め羽
５　入口
６　ゴミ袋
【図１】
0003099838.tif 000003
【図２】
0003099838.tif 000004
【図３】
0003099838.tif 000005
【図４】
0003099838.tif 000006
【図５】
0003099838.tif 000007
【図６】
0003099838.tif 000008
【図７】
0003099838.tif 000009
【手続補正書】
【提出日】平成15年8月26日(2003.8.26)
【手続補正１】
【補正対象書類名】明細書
【補正対象項目名】全文
【補正方法】変更
【補正の内容】
【実用新案登録請求の範囲】
【請求項１】扇形に裁断したネット（１）の両端の直線部分を共につなぎ合わせて円錐台状に形成し、下部の縁部分からゴミ袋（６）がはみ出さないように、その縁部分にゴム紐（２）を設け、上部の縁部分をゴミ袋（６）を入れる入口（５）として、該入口には蓋（３）を設けた事を特徴とする鳥獣よけバスケット。
【請求項２】上部の入口（５）に被せる蓋（３）が鳥獣にいたずらされるのを防ぐため、入口（５）の縁部分に円形の口金を施し設け、該口金に常時閉じるように戻り止め羽根（４）を設けた事を特徴とする請求項１記載の鳥獣よけバスケット。
【考案の詳細な説明】
【０００１】
【産業上の利用分野】
家庭から排出される生ゴミは、ゴミ袋に収納して定められた収集日に地域のゴミ集積場に出しますが、これをカラスや犬猫に食い散かされたり、又、強風によりゴミ袋が路上に転げ出してゴミが散乱し、その後始末に大変な思いをする事があります、その様な被害を防ぐために色々な取組がなされていますが、これと言った良い方法が現状では無いのが実態です、本考案は集積されたゴミ袋が鳥獣に食い散かされたり、ゴミ袋が風で路上に転げ出すのを防止すると共に、集積されたゴミ袋が道を占拠して歩行者の歩行や自転車の走行に障害を来す事のないように、ゴミ袋を効率良く集積し、又、ゴミ袋をゴミ集積場に持参する地域の人が利用しやすく、さらに、ゴミを回収する業者の方々にも余計な苦労をさせないで、スムーズに作業を進めて行く事が出来るゴミ飛散防止用具を供給することを目的にしています。
【０００２】
【従来の方法】
従来では集積された生ゴミ袋が鳥獣に食い散かされたり、風でゴミ袋が路上に転げ出すのを防ぐために、ゴミ集積ボックスの設置やネット等を被せる等の対策が取られていました。しかし、集積ボックスはボックスであるがゆえ，ゴミ袋の出し入れが大変困難で回収する業者の方も苦労していた、最近ではゴミの分別が義務づけられゴミの出し方も複雑になっており、益々回収作業が大変困難なことから、ゴミ集積ボックスを撤去するように指導する町村が増えています。一方、集積したゴミ袋にネットを被せる方法では、その都度ネットを被せたり剥したりしなければなりませんでした、又、ネットをゴミ袋に被せた場合、ゴミ袋を高く積み上げる事が難しくゴミ集積に要する場所の面積がゴミの量に比例して広くなり、歩行者の歩行の妨げになったりゴミ袋が集積されていない時でも放置されたネットが自転車に絡まり転倒した例もありました。
【０００３】
【考案が解決しようとする課題】
考案が解決しようとする課題は整理すると次の４項目にまとめることができる
【０００４】
▲１▼鳥獣を寄せ付けぬためネットで集積したゴミ袋を覆う方法においては、その都度ごとにネットでゴミ袋を覆う、ゴミ袋が回収された後でのネットの片付等々の煩わしさがありました。
【０００５】
▲２▼集積されたゴミ袋の量が増大すると、それを覆うに足りるより大きなネットが必要となり、合わせてゴミ袋の集積面積も広くなり，したがって歩道をふさいだりして交通の障害を来した。
【０００６】
▲３▼ネットはゴミ袋を覆う時に掛け損じると、ネットの裾からゴミ袋がはみ出す事がありこの掛け損じた部分から鳥獣がゴミ袋を引き出して食い散かすため、鳥獣による生ゴミの食い散かしを防ぐためのせっかくのネットがその用をはたさないことがあった。
【０００７】
▲４▼近年ゴミの分別が義務付けられ分別方法がより複雑になっている事から、回収する業者の負担が大きくなっている上に、ゴミを回収した後、ネットを片付けねばならぬ等、業者に余計な労力をかけさせていた。
【０００８】
【課題を解決するための手段】
本考案は上記の課題を解決する為に，扇形に裁断したネット（１）の両端の直線部分を共に継ぎ合わせて円錐台状に形成し、下部の縁部分からゴミ袋（６）がはみ出さないように、その縁部分にゴム紐（２）を施し設け、上部の縁部分をゴミ袋を入れる入口（５）とし、該入口にはそれを覆う蓋（３）を設け，該蓋が鳥獣にいたずらされるのを防ぐため，入口（５）の縁部分に円形の口金を施し設けて、該口金に常時閉じるようにした戻り止め羽根（４）を設けた鳥獣よけバスケットである。
以下鳥獣よけバスケットを図面に基ずいて説明すると、図１で示すように扇形に裁断した、ネット（１）の両端の直線部分を共につなぎ合せてスカート状の円錐台状に形成し、このネット（１）の円錐台状に形成した下部の縁部分に、この縁部分からゴミ袋（６）がはみ出さないようにゴム紐（２）を施し設け，次にネット（１）の円錐台状に形成した上部の縁部分をゴミ袋を入れる入口（５）とし、この入口には、図３及び図４で示すように、それを覆う蓋（３）を設けて、該蓋が入口（５）から入れたゴミ袋（６）が外にはみ出したり、さらには鳥獣にいたずらをされるのを防ぐため、入口（５）の縁部分に円形の口金を取り付け、該口金に常時閉じるようにした戻り止め羽根（４）を設けた、又、ネット（１）の下部の縁部分にはゴム紐（２）を設けている。
【０００９】
【考案の実施の形態】
本考案の鳥獣よけバスケットは，ゴミ回収日に地域の集積場に、図５で示すように蓋（３）が上方に位置するようにして地面に置きます、利用者は鳥獣よけバスケットの入口（５）の戻り止め羽根（４）の上にゴミ袋（６）を乗せて、円形の口金を持ち上げます、ゴミ袋（６）は、戻り止め羽根（４）をスルリとくぐり抜けて、図６に示すように鳥獣よけバスケットの中に入り込みます、戻り止め羽根（４）は元の位置に戻り入り口を閉じます、この様にしてゴミ袋（６）は次々に入れ込まれます、やがて鳥獣よけバスケットはゴミ袋（６）で一杯になりその側面は膨らみますが、ゴミ集積に要する面積は殆ど変わらないので、効率良くゴミ袋を集積する事ができる、鳥獣よけバスケットには底がなく開いているのでゴミ袋（６）が外にはみ出しそうに思われますが、ネット（１）をスカート状にした下部の裾の部分にゴム紐（２）が施し設けられているので、ゴミ袋を押さえ付けますから、図７の如くゴミ袋がバスケットの底から外にはみ出すことはなく、鳥獣がゴミ袋（６）を破ることは出来ません、しかるに生ゴミが鳥獣に食い散かされたり、ゴミ袋が風で飛散することは完全に防ぐ事ができる。鳥獣よけバスケット内に集積されたゴミ袋（６）は、やがて回収業者の手で取り出されますが、この時は、鳥獣よけバスケットの下部であるネット（１）の裾の部分を軽くまくり上げる事により、ゴミ袋（６）を簡単に鳥獣よけバスケット内から取り出すことができます。
【００１０】
【考案の効果】
本考案は上述の通り構成されているので次ぎに記載する効果を奏する。
【００１１】
▲１▼ゴミ袋が次々と積み上げられて鳥獣よけバスケット内に収納されるので、ゴミ集積場のスペースが節約できるので，道をゴミ袋が占拠して交通の妨げをすることを抑える事ができる。
【００１２】
▲２▼鳥獣よけバスケットを使用することにより従来のゴミ袋をネットで覆う、ネットを剥がす、ネットを片付ける等の煩わしさが解消されます。
【００１３】
▲３▼鳥獣よけバスケットの中に集積されたゴミ袋（６）が、鳥獣よけバスケットの下部の縁部分に設けたゴム紐（２）で押さえ付けられますので、ゴミ袋が鳥獣よけバスケットの下部の縁部分からはみ出る事はなく、鳥獣によりゴミ袋が破られて生ゴミの食い散かしや、風でゴミ袋が散乱するのを完全に防止することができる。
【００１４】
▲４▼ゴミを回収する業者が、楽にゴミ袋（６）を鳥獣よけバスケットの内からその裾の部分を軽くまくり上げるだけで出すことが出来る
【図面の簡単な説明】
【図１】鳥獣よけバスケットを構成する生地となる扇形ネットの展開図
【図２】鳥獣よけバスケットを形成するために、ネットの両端が継ぎ合わされ円錐形状であるス
カート状態に巻かれた状態図
【図３】入口に蓋を設けた鳥獣よけバスケットの斜視図
【図４】入口の蓋をしめす鳥獣よけバスケットの上面図
【図５】ゴミ集積場に鳥獣よけバスケットを設置した状態をしめす斜視図
【図６】ゴミ袋が鳥獣よけバスケットの中に入れ込まれた状態をしめす斜視図
【図７】ゴミ袋が鳥獣よけバスケットの中で満杯になった状態をしめす斜視図
【符号の説明】
１　ネット
２　ゴム紐
３　蓋
４　戻り止め羽根
５　入口
６　ゴミ袋


【手続補正２】
【補正対象書類名】図面
【補正対象項目名】全図
【補正方法】変更
【補正の内容】
【図１】
0003099838.tif 000010
【図２】
0003099838.tif 000011
【図３】
0003099838.tif 000012
【図４】
0003099838.tif 000013
【図５】
0003099838.tif 000014
【図６】
0003099838.tif 000015
【図７】
0003099838.tif 000016